(57)【要約】【課題】本発明は、バケツと、組み合わせて使用することにより、お風呂の湯などで、素早く濃い洗濯液を作り、洗濯物を押し沈めて一定時間漬け置きする方法により、汚れを効果的に溶かすことにより、簡単安全に、洗剤、水、電気、時間を節約する洗濯補助器を提供する。【解決手段】水平のハンドル（１）の両端に帯状支柱（２）を垂設してその下に位置する天板（３）に固着し、その裏面やや中央よりに４本の支柱（４）の上端を固着して台形状に下方向へこの４本の支柱（４）下端を、中央部に穴を複数開けた押圧板（５）の内側の周縁に固着したことを特徴とする洗濯補助器。【選択図】図１
2011156331.tif 000002
【特許請求の範囲】
【請求項１】
上段に水平のハンドルを、中段に天板を、下段には中心部周辺に小穴を複数あけた押圧板に複数の支柱を用いて連接固着したことを特徴とする洗濯補助器。
【請求項２】
上段に水平のハンドルを、中段に天板を、下段には、中心部周辺に複数の小穴を貫通した押圧板に、複数の帯状支柱を放射状に構成することを特徴とする洗濯補助器。
【発明の詳細な説明】
【技術分野】
【０００１】  本発明は、従来の洗濯機の欠点を補う洗濯補助器具に関するものである。
【背景技術】
【０００２】  洗濯効果を高めるには、前半に濃度と温度を高めた洗浄液に漬け置きし、後半は、複雑な水流を当てて、繊維表面の汚れを流し去るのが原則である。最新の洗濯機も基本は変わっていない。【０００３】  一般家庭用の全自動洗濯機は別名渦巻き洗濯機とも言う、底部にパルセーターを装着し、これを交互に反転して渦流を起し洗濯する。洗濯槽が水を入れる容器に似て、水量の変化に対応し易く、また遠心分離による脱水も、垂直構造のため、構造が簡単で、故障も少ない。価格も次に述べるドラム式に比べて３分の１から４分の１と言う特長がある。
【発明の概要】
【発明が解決しようとする課題】
【先行技術文献】
【特許文献】
【０００４】
【特許文献１】特開平２００５−２２４５７０
【０００５】  但し、欠点は、洗浄力に相関する濃い洗濯液に漬け置きするに適していない。それは構造上、水面が広いことと、パルセーターの下部に水の入る隙間があり、衣類を完全に沈めるには最小限相当量の水が必要である。対応する濃い洗濯液を作る為には、洗剤を増量するしか方法がなかった。その為洗濯機の使用者は汚れの落ちにくい状態を見て洗剤を多量に使用する傾向があった。これは、経済上からも、環境保護の上からも、大きな問題である。【０００６】  この問題を、解決する方法として、ドラム型及び斜めドラム方式がある。この方法では、初期水量は少なく、濃い洗濯液を作り易い特徴があるが、国民生活センターの資料「ドラム式洗濯機は反エコ製品か？」（インターネットＵＲＬｈｔｔｐ：／／ｓｅｋｋｅｎｎ−ｌｉｆｅ．ｃｏｍ／ｌｉｆｅ／ｄｒｕｍｎ．ｈｔｍ）によると、洗濯のみで比較して運転時間が長く電力消費が多いため年間洗濯コストは約２倍であり、改良を望むと書かれている。環境保護の上からも省資源の上からも、洗濯機の改良だけではなく、洗濯方法の改良も主要である。【０００７】  本発明は、濃い洗浄液作りと、漬け置きを、最も簡単に行う器具であり、よって洗濯効率を改善し、環境保護と低コストを両立させる発明である。
【課題を解決するための手段】
【０００８】  有力メーカーの洗剤の箱の使用説明によれば、強い汚れには水５Ｌに対して洗剤２０ｇを入れ１時間漬つけ置きしなさいと書かれている。但し洗浄液を作る場合、攪拌棒やかき混ぜ器では水平方向の攪拌で底に沈んだ洗剤は上昇せず、混合に時間が掛かる。垂直方向の水流を起こすには、平板の上下運動が有効であり、中央部に穴を開けると、水流は周辺と中央部に分散され、上下の水流により素早い混合溶解が可能である。但し濃い洗浄液は、非常に手を荒らすので付着は厳禁である。
【０００９】  各家庭の限られたスペースでは可能な限り小さいほうがよい。バケツに入る大きさであれば、浴室や洗濯機の片隅に置くことができ収納に困らない。
【発明の効果】
【００１０】    ハンドル（１）は、片腕でよく力の入るよう水平に設置すれば、高さも下げられコンパクトになる。
【００１１】  濃い洗浄液では非常に手を荒らすから、ゴム手袋が必要であるが、ハンドル（１）の下に天板（３）を挿入して洗浄液の飛散を防止する。
【００１２】  押圧板（５）は、洗浄液を素早く攪拌してよく溶解する。押圧板（５）は中心部に穴を貫通している為、上下の揺動により噴水状態になり、短時間に洗剤を均一に溶解する。
【００１３】  洗濯物を入れ、押圧板を押し下げ、洗浄液の中へ沈める。ただ置くだけの洗濯機と違い押し込むので、洗浄液に対する漬け置き量は多い。
【図面の簡単な説明】
【００１４】
【図１】本発明のステンレス材使用実施例の斜視図
【図２】本発明の作動図。
【図３】本発明の洗濯補助器をバケツに入れ攪拌する状態を示す断面図
【図４】本発明の衣類を沈める前の状態を示す断面図
【図５】本発明のつけ置きの為衣類を静かに押し込み沈めた状態を示す断面図
【図６】本発明のプラッスチック材使用例の斜視図
【図７】本発明のプラッスチック材使用例の底面図
【発明を実施するための形態】
【００１５】  以下図１に基いて本発明の実施例を説明する。水平のハンドル（１）に垂設した支柱（２）は中段の天板（３）の表面に固着し、その裏面やや中央寄りに支柱（４）の上端を固着し下端は、下段の押圧板（５）の周辺部表面に固着する。つまり下段の支柱は台形状とする。支柱（４）を台形にする理由は、ハンドルを下に押す場合やや曲がって押す可能性もあるので、曲げに強い構造とする。天板（３）は軽量化と強度を上げると共に、人に優しく見せるデザインの為、下向きの皿状とする。押圧板（５）は、中心周辺に穴を複数貫通させる。
【００１６】  バケツで洗濯補助器を使用する水量と、従来の家庭用洗濯機の機能する最低水量と比較すると水量が３分の１から５分の１と少ない。結果として、同量の洗剤を使用しても数倍の濃い洗浄液を使用することになり、洗浄力が上がる。又水量が少ないから、経済的に温水を利用しやすい。温水を使用すると、相乗効果によって、より高い洗浄力が得られる。
【００１７】  バケツにぬるま湯と洗剤を投入し洗濯補助器を入れ、ハンドルを上下すると、連接する押圧板（５）はバケツ内で過流を起こし、洗剤を分散させ溶かして、均一な洗浄液を素早く作る事ができる。
【００１８】  次に洗濯物を、静かに押入れ、沈めて漬け置きする。洗濯機はただ置くだけであるが洗濯補助器は押し込むので多く処理できる。漬け置き時間経過後、洗濯機に投入すれば、汚れはすでに大部分溶解しているから、洗濯時間は約半分で可能である。普通の汚れの場合標準の約半分の洗剤で、以前同様の洗濯効果があった。特に汚れの強い部分はブラシを使用して、洗浄液をつけて少しこするだけで落ちる。別の洗剤は全く必要としない。ぬるま湯と、漬け置き効果で従来の洗剤の量の半減は可能である。
【００１９】  実際に、毎日の洗濯では、種類によって、同時に洗濯できない場合が多い。極端な汚れの強弱、繊維の種類、色ものと無地等である。種類ごとに洗濯機を使用すれば時間が不足する。
本発明の洗濯補助器を１台追加すれば、後は、バケツを種類に応じて、用意するだけで、洗濯機との平列使用が可能となり、時間と費用の節約ができる。
洗濯補助器は、いずれの型の洗濯機にも応用が可能で、浴室や洗濯機の隣にも邪魔にならない大きさであり、音もせず、電気も消費しない。洗浄力を強化するから洗剤使用量を減少させることができ環境保護にも資する。
【００２０】  次に、請求項２に記載の実施例として、図６図７はプラスチックによる一体成型による実施例を示す。ハンドル（１）とハンドルに垂設する支柱（２）及び連固着する天板（３）の裏面中心から放射状に構成する帯状支柱（４４）を固着し、その下の端部は押圧板（５）に連固着する。押圧板（５）は中心部周辺に貫通する穴を開けるのは前者同様である。
【符号の説明】
【００２１】（１）ハンドル  （２）ハンドルに垂設する支柱  （３）天板  （４）支柱  （５）押圧板  （６）洗浄液  （７）洗濯物  （８）バケツ  （４４）帯状支柱
【図１】
2011156331.tif 000003
【図２】
2011156331.tif 000004
【図３】
2011156331.tif 000005
【図４】
2011156331.tif 000006
【図５】
2011156331.tif 000007
【図６】
2011156331.tif 000008
【図７】
2011156331.tif 000009